(57)【特許請求の範囲】
【請求項１】
枠状の正面フランジ（１）を一体に有するとともに、電子機器の構成要素が配される合成樹脂製のシャーシ（４）と、
前記正面フランジ（１）の背面側に設けられた溝よりなる係止部（６）と、
合成樹脂製の背面板（３）と、
前記シャーシ（４）と前記背面板（３）とを固定するためにシャーシ（４）の背面側に延設された固定部材（８）と、
前記背面板（３）と前記固定部材（８）とを結合固定するネジ（９）具と、
前記正面フランジ（１）の溝よりなる前記係止部（６）に前端縁に形成された係止片（７）が挿通係止されるとともに、前記背面板（３）に取り付けられて前記正面フランジ（１）と前記背面板（３）との間に挟み込まれ、前記シャーシ（４）の上面、側面および底面を覆う金属製の外面板（２）と、
を備え、前記正面フランジ（１）と前記外面板（２）と前記背面板（３）とが分解可能とされたことを特徴とする電子機器用外筐。
【請求項２】
前記背面板（３）の外周に設けられた係合突起（１０）が、前記外面板（２）の後端縁の形成された係合凹部又は係合穴部（１１）に係合されることを特徴とする請求項１記載の電子機器用外筐。
【請求項３】
前記外面板が、前記シャーシの上面および側面を覆うように下向きに開口する断面略コ字状に形成された上側面板と、前記シャーシの底面を覆う底面板とからなることを特徴とする請求項１又は２記載の電子機器用外筐。
【発明の詳細な説明】
【０００１】
【発明の属する技術分野】
本発明は、電子機器の外形をなす電子機器用外筐に関するものである。
【０００２】
【従来の技術】
図３は従来の電子機器用外筐を示す側断面図である。従来の電子機器用外筐は、枠状の正面フランジ５０と、上側面板５１と、底面板５２と、背面板５３とからなる。正面フランジ５０は、上面，両側面および底面を囲む板状の覆い部５０ａと、覆い部との間に段差部５０ｂをなして背面側に向けて折曲形成された立上片５０ｃとを板金の折り曲げにて一体に有している。上側面板５１は、上面および両側面を囲むように下向き略コ字形状に板金を折曲形成してなる。底面板５２は両側部にて立上片５２ａを板金の折り曲げにて一体に有している。背面板５３は、板金あるいは合成樹脂材からなり、上側面板５１および底面板５２が囲う背面側の開口を閉塞する如く配される。
【０００３】
上側面板５１は、正面フランジ５０の立上片５０ｃの外面に被せてスポット溶接により接合される。また、底面板５２は、正面フランジ５０の立上片５０ｃの外面に被せてスポット溶接により接合されるとともに、自身の立上片５２ａと上側面板５１の下端がスポット溶接により接合される。さらに、背面板５３は、上側面板５１および底面板５２がなす囲みの背面側の開口を閉塞する。背面板５３が板金からなる場合には、図３に示すように、正面側に向く立上片５３ａが上側面板５１および底面板５２に対してスポット溶接により接合される。背面板５２が合成樹脂材からなる場合には、上側面板５１および底面板５２がなす囲みの背面側の開口にはめ込み、あるいはネジ止めによって固定される。
【０００４】
例えば、上記電子機器用外筐を工業用計測器などに用いる場合には、正面フランジ５０側より計測器本体５５（図３中一点鎖線で示す）が挿通収容される。計測器本体５５は、図示しないが、表示部、記録部および設定部などの電子機器の構成要素を正面フランジの覆い部５０ａ内に配し、また、上側面板５１および底面板５２に囲まれる奥に外部から取り込まれる測定信号の処理を行う電子回路部品を搭載した回路基板などの電子機器の構成要素を有している。また、上記電子機器用外筐は、所望のパネル５６（図３中二点鎖線で示す）の開口部５６ａに対し、正面フランジ５０の段差部５０ｂを当接させて覆い部５０ａを表出するようにして取り付けられる。
【０００５】
【発明が解決しようとする課題】
しかしながら、上述した従来の電子機器用外筐では、正面フランジ５０，上側面板５１および底面板５２（場合によっては背面板５３）が、スポット溶接によって接合されている。このため、立上片５０ｃ，５２ａ，５３ａなどの曲げ加工を要して手間がかかり、且つ、スポット溶接によって全自動化が困難であり、製造コストが嵩んでしまうという問題があった。
【０００６】
そこで本発明は、上記課題を解消するために、曲げ加工などの手間や、スポット溶接を無くして製造コストを低減することができる電子機器用外筐を提供することを目的としている。
【０００７】
【課題を解決するための手段】
上記目的を達成するため本発明による請求項１記載の電子機器用外筐は、枠状の正面フランジ（１）を一体に有するとともに、電子機器の構成要素が配される合成樹脂製のシャーシ（４）と、前記正面フランジ（１）の背面側に設けられた溝よりなる係止部（６）と、合成樹脂製の背面板（３）と、前記シャーシ（４）と前記背面板（３）とを固定するためにシャーシ（４）の背面側に延設された固定部材（８）と、前記背面板（３）と前記固定部材（８）とを結合固定するネジ（９）具と、前記正面フランジ（１）の溝よりなる前記係止部（６）に前端縁に形成された係止片（７）が挿通係止されるとともに、前記背面板（３）に取り付けられて前記正面フランジ（１）と前記背面板（３）との間に挟み込まれ、前記シャーシ（４）の上面、側面および底面を覆う金属製の外面板（２）と、を備え、前記正面フランジ（１）と前記外面板（２）と前記背面板（３）とが分解可能とされたことを特徴とする。
【０００８】
また、請求項２記載の電子機器用外筐は、請求項１記載の電子機器用外筐において、前記背面板（３）の外周に設けられた係合突起（１０）が、前記外面板（２）の後端縁の形成された係合凹部又は係合穴部（１１）に係合されることを特徴とする。
また、請求項３の電子機器用外筐は、請求項１又は２記載の電子機器用外筐において、前記外面板が、前記シャーシの上面および側面を覆うように下向きに開口する断面略コ字状に形成された上側面板と、前記シャーシの底面を覆う底面板とからなることを特徴とする。
【０００９】
【発明の実施の形態】
以下、本発明の実施の形態を図面を参照して具体的に説明する。
図１は本発明の電子機器用外筐を示す分解斜視図、図２（ａ）は前記電子機器外筐を組み立てた状態の側断面図、図２（ｂ）は同縦断面図である。
【００１０】
図１および図２（ａ），（ｂ）に示すように、本実施の形態での電子機器用外筐は、正面フランジ１と、外面板２と、背面板３とを有している。正面フランジ１は、合成樹脂製であり、上面，両側面および底面を囲む略矩形枠状の覆い部１ａを有している。この正面フランジ１は、合成樹脂製のシャーシ４と一体に構成されている。シャーシ４には、本電子機器用外筐を例えば工業用計測器に用いた場合、一点鎖線で示す表示部５ａ、記録部５ｂ、設定部５ｃおよび回路基板５ｄなどの電子機器の構成要素５が配される。回路基板５ｄには、外部から取り込まれる測定信号の処理を行う電子回路部品が搭載される。また、表示部５ａ、記録部５ｂおよび設定部５ｃは正面フランジ１の覆い部１ａの枠内に配され、回路基板５ｄはその奥にてシャーシ４に固定される。
【００１１】
また、正面フランジ１の覆い部１ａの背面側には、段差部１ｂが形成されている。この段差部１ｂには、後述する外面板２の前端縁が係止される係止部６が形成されている。この係止部６は、本実施の形態では、外面板２の前端縁が挿通係止される凹溝あるいは溝穴として構成されている。
【００１２】
外面板２は、本実施の形態では、シャーシ４の上面および両側面を覆うように下向きに開口する断面略コ字状に形成された上側面板２Ａと、前記シャーシ４の底面を覆う底面板２Ｂとからなる。上側面板２Ａの各前端縁には、前記係止部６に挿通係止される係止片７が形成されている。また、底面板２Ｂの前端面にも、前記係止部６に挿通係止される係止片７が形成されている。なお、外面板２は、上記上側面板２Ａと底面板２Ｂとからなる他、図示しないが、シャーシ４の上面を覆う上面板、シャーシ４の各側面を覆う各側面板およびシャーシ４の底面を覆う底面板からなる構成や、シャーシ４の上面を覆う上面板と、シャーシ４の底面および両側面を覆うように上向きに開口する断面略コ字状に形成された底側面板とからなる構成であってもよい。
【００１３】
背面板３は、合成樹脂製であり、前記シャーシ４の背面側に固定される。シャーシ４と背面板３との固定には、固定部材８が用いられる。固定部材８は、シャーシ４の背面側に延設された長手状の棒体，板体あるいは管体などであり、シャーシ４に一体あるいは別体に形成されている。固定部材８がシャーシ４と別体である場合には、図示しないが、各々ネジ止めや嵌め込みなどで固定される。また、固定部材８と背面板３との固定は、図示の如くネジ９によって固定される。固定部材８と背面板３との固定は、その他嵌め込みなどの適宜手段を用いてもよい。また、固定部材８は、上記長手状の棒体，板体あるいは管体の他、シャーシ４の一部から構成されるものであってもよい。
【００１４】
また、背面板３は、外面板２の後端縁に対して係合し得る構成とされている。本実施の形態では、背面板３の外周に係合突起１０が設けられ、上側面板２Ａおよび底面板２Ｂの後端縁に係合突起１０と係合する係合凹部（穴部）１１が設けられている。外面板２が上述の如く様々に構成されている場合には、係合突起１０の位置が図示の状態と変えられる。また、背面板３と外面板２との係合の構成は、上記の他、背面板３に外面板２の後端縁が挿通される溝（不図示）が形成された構成であってもよい。
【００１５】
上記構成においては、先ず、シャーシ４と一体とされた正面フランジ１の係止部６に対し、外面板２（上側面板２Ａ，底面板２Ｂ）の前端縁の係止片７を挿通させる。これにより、図２（ｂ）に示すように、上側面板２Ａの下部の開口を底面板２Ｂが閉塞し、外面板２によってシャーシ４の上面，両側面および底面が覆われる。
【００１６】
次いで、外面板２（上側面板２Ａ，底面板２Ｂ）の後端縁を背面板３に係合するとともに、背面板３を固定部材８に固定する。外面板２は、前端縁が正面フランジ１に係止され、後端縁が背面板３に係合されている。これにより、外面板２は、正面フランジ１と背面板３との間に挟み込まれて固定される。また、背面板３は、外面板２がなす背面側の開口を閉塞する。
【００１７】
このように構成された、電子機器用外筐は、例えば、所望のパネル１２（図２（ａ）中二点鎖線で示す）の開口部１２ａに対し、正面フランジ１の段差部１ｂを当接させて覆い部１ａを表出するようにして取り付けられる。
【００１８】
したがって、このように構成された電子機器用外筐では、正面フランジ１、外面板２、背面板３の組み立てに際し、従来の如くスポット溶接を要することがない。これにより、製造コストを低減することができる。また、外面板２が上側面板２Ａと底面板２Ｂとで構成され、且つ、スポット溶接が不要のため、曲げ加工が少なくなってその製造に手間がかかることがないので、製造コストを更に低減することが可能である。
【００１９】
また、従来ではスポット溶接による接合を行っていたために、その分解が困難であったが、上述の電子機器用外筐では、正面フランジ１、外面板２、背面板３を容易に分解することが可能なため、メンテナンスや、廃棄時の作業を容易にすることが可能である。
【００２０】
【発明の効果】
以上説明したように本発明による電子機器用外筐は、正面フランジを電子機器の構成要素が配されるシャーシと一体にし、この正面フランジと、シャーシに固定される背面板との間でシャーシの上面、側面および底面を覆う外面板を挟み込んで固定している。これにより、スポット溶接を要することがないので、製造コストを低減することができる。また、スポット溶接を要さないので、正面フランジ、外面板、背面板を容易に分解することが可能となり、メンテナンスや、廃棄時の作業を容易にすることができる。
【００２１】
また、外面板が、シャーシの上面および側面を覆う断面略コ字状の上側面板と、シャーシの底面を覆う底面板とからなり、且つ、スポット溶接が不要のために、曲げ加工が少なくなって製造に手間がかかることがなく、製造コストを更に低減することができる。
【図面の簡単な説明】
【図１】本発明の電子機器用外筐を示す分解斜視図。
【図２】（ａ）前記電子機器外筐を組み立てた状態の側断面図。
（ｂ）同縦断面図。
【図３】従来の電子機器用外筐を示す側断面図。
【符号の説明】
１…正面フランジ、２…外面板、２Ａ…上側面板、２Ｂ…底面板、３…背面板、４…シャーシ、５…構成要素、８…固定部材。
【図１】
0003973888.tif 000002
【図２】
0003973888.tif 000003
【図３】
0003973888.tif 000004